(57)【要約】【課題】取り付けが簡単で、点滴速度を正確に検知することができると共に、点滴情報を確認するときの作業性に優れた点滴速度測定器を提供する。【解決手段】点滴速度測定器１は、上下方向に吊下げられた点滴筒２の側面壁２ａが着脱自在に嵌合される嵌合凹部１０と、嵌合凹部１０に嵌合された点滴筒２のフランジ部２３の下面２３ａに当接する位置決め当接部１１とを有した筐体１２と、筐体１２に設けられ、嵌合凹部１０に嵌合されながら位置決め当接部１１にフランジ部２３が当接された点滴筒２の導管３２から滴下する点滴液４を検出する点滴液検出器１３と、点滴液検出器１３による点滴液４の検出に基づいて点滴情報を出力する情報出力器１４とを有している。【選択図】図１
2014140467.tif 000002
【特許請求の範囲】
【請求項１】
上下方向に吊下げられた点滴筒の側面壁が着脱自在に嵌合される嵌合凹部と、
前記嵌合凹部に嵌合された前記点滴筒のフランジ部の下面に当接する位置決め当接部と
を有した筐体と、
前記筐体に設けられ、前記嵌合凹部に嵌合されながら前記位置決め当接部に前記フランジ部が当接された前記点滴筒の導管から滴下する点滴液を検出する点滴液検出器と、
前記点滴液検出器による前記点滴液の検出に基づいて点滴情報を出力する情報出力器と
を有することを特徴とする点滴速度測定器。
【請求項２】
前記筐体は、円筒形状に形成された周面壁と、当該周面壁の一方端面を塞ぐ一方端面壁と、当該周面壁の他方端面を塞ぐ他方端面壁とを有していると共に、前記周面壁の一部を半径方向に変形させることにより形成された転がり止め部を有することを特徴とする請求項１に記載の点滴速度測定器。
【請求項３】
前記筐体は、紐部材を取付け可能な吊下げ部を有することを特徴とする請求項１又は２に記載の点滴速度測定器。
【請求項４】
前記筐体に設けられ、前記点滴液検出器及び前記情報出力器の駆動電力のオン・オフを切り替える防水性能を有したスイッチ部材を有することを特徴とする請求項１乃至３の何れか１項に記載の点滴速度測定器。
【請求項５】
前記位置決め当接部は、
該位置決め当接部における前記フランジ部との当接位置の高さを調整可能な高さ調整機構を有することを特徴とする請求項１乃至４の何れか１項に記載の点滴速度測定器。
【請求項６】
前記嵌合凹部に設けられ、前記点滴筒の側面壁を所定の保持力以上で挟持する固定用弾性部材を有することを特徴とする請求項１乃至５の何れか１項に記載の点滴速度測定器。
【請求項７】
円筒形状に形成された周面壁と、
当該周面壁の一方端面を塞ぐ一方端面壁と、
当該周面壁の他方端面を塞ぐ他方端面壁と、
前記周面壁における前記一方端面壁側に形成され、上下方向に吊下げられた点滴筒の側面壁が着脱自在に嵌合される嵌合凹部と、
前記嵌合凹部に嵌合された前記点滴筒のフランジ部の下面に当接する位置決め当接部と、
前記周面壁の一部を半径方向に変形させることにより形成された転がり止め部と、
前記一方端面壁に形成され、紐部材を取付け可能な吊下げ部と、
を有した筐体と、
前記嵌合凹部に検出領域が設定され、当該検出領域において前記嵌合凹部に嵌合されながら前記位置決め当接部に前記フランジ部が当接された前記点滴筒の導管から滴下する点滴液を検出する点滴液検出器と、
前記周面壁における前記他方端面壁側に配置され、前記点滴液検出器による前記点滴液の検出に基づいて点滴情報を出力する情報出力器と、
前記筐体における前記他方端面壁に設けられ、前記点滴液検出器及び前記情報出力器の駆動電力のオン・オフを切り替える防水性能を有したスイッチ部材と
を有することを特徴とする点滴速度測定器。
【発明の詳細な説明】
【技術分野】
【０００１】
本発明は、点滴筒の内部における点滴速度を検知する点滴速度測定器に関する。
【背景技術】
【０００２】
点滴筒内における点滴液を目視により確認しながら点滴速度等を計算することの煩わしさを解消するため、従来から、点滴液をセンサーにより検知して点滴速度等を報知する携帯型の点滴速度測定器が提案されている。具体的には、点滴筒の周面壁を挟持可能な筐体内にセンサーを配置した点滴速度測定器を点滴筒に固定状態に設置し、点滴筒内を滴下する点滴液を周面壁を介してセンサーで検知することによって、点滴速度等を報知する構成が提案されている（特許文献１〜３）。
【先行技術文献】
【特許文献】
【０００３】
【特許文献１】特開平０３−２３１６８０公報
【特許文献２】特許第５００９４２６公報
【特許文献３】実開平０６−５０６５１号公報
【発明の概要】
【発明が解決しようとする課題】
【０００４】
しかしながら、上記従来の構成は、点滴筒の周面壁を挟持する場所や角度によっては、センサーによる検知位置が点滴液の通過位置から外れたり、点滴筒の重量バランスの崩れにより点滴筒が斜めの姿勢になることで点滴液の滴下を検出できないと、点滴液の検知が不正確になる場合がある。
【０００５】
本発明は、上記の問題を鑑みてなされたものであり、取り付けが簡単で、点滴速度を正確に検知することができると共に、点滴情報を確認するときの作業性に優れた点滴速度測定器を提供することを目的とする。
【課題を解決するための手段】
【０００６】
本発明の点滴速度測定器は、上下方向に吊下げられた点滴筒の側面壁が着脱自在に嵌合される嵌合凹部と、前記嵌合凹部に嵌合された前記点滴筒のフランジ部の下面に当接する位置決め当接部とを有した筐体と、前記筐体に設けられ、前記嵌合凹部に嵌合されながら前記位置決め当接部に前記フランジ部が当接された前記点滴筒の導管から滴下する点滴液を検出する点滴液検出器と、前記点滴液検出器による前記点滴液の検出に基づいて点滴情報を出力する情報出力器とを有することを特徴とする。
【０００７】
上記の構成によれば、上下方向に吊下げられた点滴筒の側面壁を点滴速度測定器の嵌合凹部に嵌合させることによって、点滴筒に対する筐体の水平方向の位置決めを行うことができる。また、点滴速度測定器の位置決め当接部を点滴筒のフランジ部の下面に当接させることによって、点滴筒に対する筐体の上下方向の位置決めを行うことができる。これにより、筐体の嵌合凹部を点滴筒に水平方向及び上下方向に押し当てるという簡単な取付け作業を行うだけで、点滴筒の導管から点滴液が滴下するときの所定の通過ポイントに対して点滴速度測定器を水平方向及び上下方向に位置決めすることができる。この結果、筐体に設けられた点滴液検出器と点滴液の所定の通過ポイントとの位置決めが行われることによって、点滴液検出器による点滴液の検出が確実に行われることから、点滴速度を正確に検知し、情報出力器において表示や音声等により出力することができる。また、筐体と点滴筒との位置決めした状態は、筐体を点滴筒に押し当てるだけであるため、片手で行うことができることから、測定した点滴速度が患者の所定条件になっているかをみて、もう一方の手でクランプを調整できるなど作業性が優れたものになる。この後、点滴速度の所定条件の調整が完了したときは、筐体の点滴筒への押し当て状態を解除するだけで、筐体の嵌合凹部を点滴筒から取り外すことができることから、点滴速度測定器の取り外し作業を極めて簡単に行うことができる。
【０００８】
本発明の点滴速度測定器における前記筐体は、円筒形状に形成された周面壁と、当該周面壁の一方端面を塞ぐ一方端面壁と、当該周面壁の他方端面を塞ぐ他方端面壁とを有していると共に、前記周面壁の一部を半径方向に変形させることにより形成された転がり止め部を有していてもよい。
【０００９】
上記の構成によれば、筐体が円筒形状に形成されることによって、ボールペン等の筆記用具に似た感覚で点滴速度測定器を取り扱うことを可能にすると共に、机等の載置場所に置いたときの転がりを転がり止め部により防止することができる。また、筐体が円筒形状であると、角張っている場合よりも他の用具に接触したときの応力を低減できることから、ポケットや鞄に点滴速度測定器を他の用具と共に保管したときの他の用具の破損の可能性を低減することができる。これにより、点滴速度測定器の携帯性及び保管性を向上させることができる。
【００１０】
本発明の点滴速度測定器における前記筐体は、紐部材を取付け可能な吊下げ部を有していてもよい。
【００１１】
上記の構成によれば、吊下げ部に紐部材を取り付けることによって、携帯電話のストラップによる紛失防止機能と同様の機能を点滴速度測定器に持たせることができる。これにより、点滴速度測定器の保管時や携帯時の取り扱いを容易にすることができる。
【００１２】
本発明の点滴速度測定器は、前記筐体に設けられ、前記点滴液検出器及び前記情報出力器の駆動電力のオン・オフを切り替える防水性能を有したスイッチ部材を有していてもよい。
【００１３】
上記の構成によれば、点滴速度測定器のオン・オフ操作を行うためのスイッチ部材が防水性能を有することから、点滴液で点滴速度測定器が濡れた場合におけるスイッチ部材の接触不良や点滴速度測定器内部への点滴液の進入による腐食等の不具合が起り難いものにすることができる。
【００１４】
本発明の点滴速度測定器における前記位置決め当接部は、該位置決め当接部における前記フランジ部との当接位置の高さを上下方向に調整可能な高さ調整機構を有していてもよい。
【００１５】
上記の構成によれば、点滴筒の滴下口の位置が異なる場合でも、高さ調整機構により、位置決め当接部のフランジ部との当接位置を、筐体に対して点滴筒の上下方向の所望位置に設定することによって、点滴液の通過ポイントと点滴速度測定器との位置関係を点滴液の検出にとって最適な状態に調整することができる。これにより、点滴速度の検出を正確に検知することができる。
【００１６】
本発明の点滴速度測定器は、前記嵌合凹部に設けられ、前記点滴筒の側面壁を所定の保持力以上で挟持する固定用弾性部材を有していてもよい。
【００１７】
上記の構成によれば、点滴速度測定器を点滴筒に取り付けたときに、点滴速度測定器の全部や一部の重量を固定用弾性部材の挟持による保持力により点滴筒を支持させることができる。これにより、点滴速度測定器を点滴筒に取り付けた状態を維持するときの携帯者の負担を軽減することができる。特に、点滴速度測定器の全重量を支持する保持力で固定用弾性部材が点滴筒を保持した場合には、点滴速度測定器から手を離すことができるため、作業性に優れたものになる。
【００１８】
本発明の点滴速度測定器は、円筒形状に形成された周面壁と、当該周面壁の一方端面を塞ぐ一方端面壁と、当該周面壁の他方端面を塞ぐ他方端面壁と、前記周面壁における前記一方端面壁側に形成され、上下方向に吊下げられた点滴筒の側面壁が着脱自在に嵌合される嵌合凹部と、前記嵌合凹部に嵌合された前記点滴筒のフランジ部の下面に当接する位置決め当接部と、前記周面壁の一部を半径方向に変形させることにより形成された転がり止め部と、前記一方端面壁に形成され、紐部材を取付け可能な吊下げ部と、を有した筐体と、前記嵌合凹部に検出領域が設定され、当該検出領域において前記嵌合凹部に嵌合されながら前記位置決め当接部に前記フランジ部が当接された前記点滴筒の導管から滴下する点滴液を検出する点滴液検出器と、前記周面壁における前記他方端面壁側に配置され、前記点滴液検出器による前記点滴液の検出に基づいて点滴情報を出力する情報出力器と、前記筐体における前記他方端面壁に設けられ、前記点滴液検出器及び前記情報出力器の駆動電力のオン・オフを切り替える防水性能を有したスイッチ部材とを有することを特徴とする。
【００１９】
上記の構成によれば、上下方向に吊下げられた点滴筒の側面壁を点滴速度測定器の嵌合凹部に嵌合させることによって、点滴筒に対する筐体の水平方向の位置決めを行うことができる。また、点滴速度測定器の位置決め当接部を点滴筒のフランジ部の下面に当接させることによって、点滴筒に対する筐体の上下方向の位置決めを行うことができる。これにより、筐体の嵌合凹部を点滴筒に水平方向及び上下方向に押し当てるという簡単な取付け作業を行うだけで、点滴筒の導管から点滴液が滴下するときの所定の通過ポイントに対して点滴速度測定器を水平方向及び上下方向に位置決めすることができる。この結果、筐体に設けられた点滴液検出器と点滴液の所定の通過ポイントとの位置決めが行われることによって、点滴液検出器による点滴液の検出が確実に行われることから、点滴速度を正確に検知し、情報出力器において表示や音声等により出力することができる。また、筐体と点滴筒との位置決めした状態は、筐体を点滴筒に押し当てるだけであるため、片手で行うことができることから、点滴速度を調整する作業性が優れたものになる。この後、点滴速度の検出が完了したときは、筐体の点滴筒への押し当て状態を解除するだけで、筐体の嵌合凹部を点滴筒から取り外すことができることから、点滴速度測定器の取り外し作業を極めて簡単に行うことができる。
また、筐体が円筒形状に形成されることによって、ボールペン等の筆記用具に似た感覚で点滴速度測定器を取り扱うことを可能にすると共に、机等の載置場所に置いたときの転がりを転がり止め部により防止することができる。また、筐体が円筒形状であると、角張っている場合よりも他の用具に接触したときの応力を低減できることから、ポケットや鞄に点滴速度測定器を他の用具と共に保管したときの他の用具の破損の可能性を低減することができる。これにより、点滴速度測定器の携帯性及び保管性を向上させることができる。
また、吊下げ部に紐部材を取り付けることによって、携帯電話のストラップによる紛失防止機能と同様の機能を点滴速度測定器に持たせることができる。また、吊下げ部が筐体の一方端面に形成されているため、吊下げ部に取り付けられた紐部材を携帯者が持ったときに、筐体の軸方向を上下方向に一致するように変化させることができる。これにより、点滴速度測定器の保管時や携帯時の取り扱いを容易にすることができる。
さらに、スイッチ部材が筐体の他方端面に設けられているため、スイッチ部材を目視によらなくても手探りで容易に探り当てることができる。これにより、照明度の低い室内であっても、点滴速度測定器のオン・オフ操作を容易に行うことができる。また、スイッチ部材が防水性能を有することから、点滴液で点滴速度測定器が濡れた場合におけるスイッチ部材の接触不良や点滴速度測定器内部への点滴液の進入による腐食等の不具合が起り難いものにすることができる。
【発明の効果】
【００２０】
取り付けが簡単で、点滴速度を正確に検知することができると共に、点滴情報を確認するときの作業性に優れている。
【図面の簡単な説明】
【００２１】
【図１】点滴速度測定器の点滴筒への装着過程を示す説明図である。
【図２】点滴速度測定器が点滴筒に装着された状態を示す説明図である。
【図３】点滴速度測定器が点滴筒に装着された状態を示す説明図である。
【図４】点滴速度測定器の上面図である。
【図５】点滴速度測定器の側面図である。
【図６】点滴速度測定器の分解図である。
【図７】情報出力器の制御ブロック図である。
【図８】点滴速度測定器の使用状態を示す説明図である。
【図９】電源プログラムのフローチャートである。
【図１０】点滴速度測定プログラムのフローチャートである。
【図１１】点滴速度測定器の変形例を示す説明図である。
【発明を実施するための形態】
【００２２】
＜第１実施形態＞
以下、本発明の好適な実施の形態について、図面を参照しつつ説明する。
【００２３】
（全体構成）
図１乃至図３に示すように、本実施形態に係る点滴速度測定器１は、上下方向に吊下げられた点滴筒２の側面壁２ａ、及び、点滴筒２のフランジ部２３の下面２３ａを基準とし、点滴液４の所定の通過ポイント２５を検知位置として片手で簡易に位置決め可能であり、この検知位置において点滴液４の点滴速度を検知すると共に、点滴液４の点滴速度の検知に基づいて点滴情報を出力するように構成されている。
【００２４】
ここで、『検知位置』は、導管３２の滴下口３２ａに近接した位置に設定されることが好ましい。これにより、点滴液４を検知できる点滴筒２の姿勢を広範囲に許容することができる。すなわち、検知位置が滴下口３２ａに近接した位置に設定されることで、点滴筒２が傾いても滴下口３２ａと導管３１とを結ぶラインと滴下口３２ａからの点滴液滴下ラインとの距離が短いので、滴下口３２ａから離れた位置で点滴液４を検知する場合に比べて、点滴筒の傾きが大きい場合でも点滴液を検知できる。『点滴情報』とは、点滴に関する各種の情報である。本実施形態では、点滴情報として、時間あたりに滴下する点滴液４の滴下回数を報知するが、これに限定されない。例えば、点滴情報としては、単位時間当たりの点滴液４の滴下回数である点滴速度、点滴液４の滴下回数をカウントした点滴数、点滴数に点滴液４の単位量を積算した点滴総量、単位時間当たりの点滴量、点滴開始からの点滴経過時間等を例示することができる。『点滴情報の出力』は、点滴速度測定器１の使用者や患者に対して液晶表示、音声、光などで点滴情報を報知する形態を含むと共に、情報処理装置等の外部機器に対して点滴情報をデータ通信により送信する形態を含む。
【００２５】
具体的に説明すると、点滴速度測定器１は、上下方向に吊下げられた点滴筒２の側面壁２ａが着脱自在に嵌合される嵌合凹部１０と、嵌合凹部１０に嵌合された点滴筒２のフランジ部２３の下面２３ａに当接する位置決め当接部１１とを有した筐体１２と、筐体１２に設けられ、嵌合凹部１０に嵌合されながら位置決め当接部１１にフランジ部２３が当接された点滴筒２の導管から滴下する点滴液４を検出する点滴液検出器１３と、点滴液検出器１３による点滴液４の検出に基づいて点滴情報を出力する情報出力器１４とを有している。
【００２６】
上記の構成によれば、上下方向に吊下げられた点滴筒２の側面壁２ａを点滴速度測定器１の嵌合凹部１０に嵌合させることによって、点滴筒２に対する筐体１２の水平方向の位置決めを行うことができる。また、点滴速度測定器１の位置決め当接部１１を点滴筒２のフランジ部２３の下面２３ａに当接させることによって、点滴筒２に対する筐体１２の上下方向の位置決めを行うことができる。これにより、筐体１２の嵌合凹部１０を点滴筒２に水平方向及び上下方向に押し当てるという簡単な取付け作業を行うだけで、点滴筒２の導管３２から点滴液４が滴下するときの所定の通過ポイント２５に対して点滴速度測定器１を水平方向及び上下方向に位置決めすることができる。この結果、筐体１２に設けられた点滴液検出器１３と点滴液４の所定の通過ポイント２５との位置決めが行われることによって、点滴液検出器１３による点滴液４の検出が確実に行われることから、点滴速度を正確に検知し、情報出力器１４において表示や音声等により出力することができる。また、筐体１２と点滴筒２との位置決めした状態は、筐体１２を点滴筒２に押し当てるだけであるため、片手で行うことができることから、もう一方の手でクランプ７３により点滴速度調整ができるなど作業性が優れたものになる。この後、点滴情報の検出が完了したときは、筐体１２の点滴筒２への押し当て状態を解除するだけで、筐体１２の嵌合凹部１０を点滴筒２から取り外すことができることから、点滴速度測定器１の取り外し作業を極めて簡単に行うことができる。
【００２７】
尚、以下において、点滴速度測定器１における点滴筒２を嵌合凹部１０に水平方向へ嵌合させる側を前面側として説明する。
【００２８】
（筐体１２）
点滴速度測定器１を詳細に説明する。点滴速度測定器１の筐体１２は、外形状が、円筒形状に形成されている。具体的に、図４に示すように、筐体１２は、円筒形状に形成された周面壁１２１と、当該周面壁１２１の一方端面を塞ぐ一方端面壁１２２と、当該周面壁１２１の他方端面を塞ぐ他方端面壁１２３と、を有している。
尚、筐体１２は、円筒形状に限定されず、直方体形状、多角柱形状等の様々な形状を適用してもよい。
また、筐体１２には、嵌合凹部１０と、位置決め当接部１１と、転がり止め部１５と、吊下げ部１６と、取付部１７が形成されている。
さらに、筐体１２内部には、点滴液検出器１３、及び、情報出力器１４等が配設されている。
【００２９】
（筐体１２：嵌合凹部１０）
嵌合凹部１０は、筐体１２の周面壁１２１の前面側における一方端面壁１２２側に形成されている。嵌合凹部１０は、周面壁１２１の一部を凹状に窪ませた形状に形成されている。嵌合凹部１０の窪みは、適用される点滴筒２の形状に合わせたものとなっている。即ち、図４に示すように、上面から見た場合、筐体１２の長手方向中心軸に至るまで窪んだトンネル形状（Ｕ字形状）に形成されている。
これにより、嵌合凹部１０に点滴筒２を押し当てた際、嵌合凹部１０の略全体に点滴筒２の側面壁２ａが当接するようになっているため、安定した状態で点滴筒２に嵌合凹部１０を取り付けることができる。そしてトンネル形状であるため、点滴筒２の中心位置の滴下口３２ａから滴下する点滴液４を検出する赤外線２４の通過ライン用として、トンネル状の円弧部から直線部にかけた位置に発光穴１０ａ、受光穴１０ｂが形成されている。また、嵌合凹部１０に点滴筒２を嵌合させることで、点滴筒２の導管３２から点滴液４が滴下するときの所定の通過ポイント２５に対して点滴速度測定器１を水平方向に位置決めすることができる（図２参照）。
また、トンネル形状になっていることから、点滴筒２の側面壁２ａへの当接および当接状態からの解除が容易に行える。
【００３０】
尚、嵌合凹部１０は、一般的な点滴筒２の外形状に合わせ、下方向へ行くほど径が小さくなっていることが好ましい。これにより、点滴筒２に対する点滴速度測定器１をより安定して取り付けることができ、正確に位置決めを行うことができる。
【００３１】
また、嵌合凹部１０には、対向する一方端面壁１２２側及び他方端面壁１２３側の壁面に内部まで貫通する発光穴１０ａ及び受光穴１０ｂが形成されている。発光穴１０ａを介して、筐体１２内部に設置される後述の点滴液検出器１３（発光部１３ａ）からの光が出射される。出射された光は、受光穴１０ｂを介して点滴液検出器１３（受光部１３ｂ）に受光される。
【００３２】
（筐体１２：位置決め当接部１１）
位置決め当接部１１は、嵌合凹部１０に嵌合された点滴筒２のフランジ部２３の下面２３ａに当接するように形成されている。即ち、嵌合凹部１０に沿った周面壁１２１の上面の円弧部分が、垂直上方向に立ち上げられるように突出されて形成されている。
フランジ部２３は、点滴筒２の上面部に配置される蓋である。また、導管３２が、フランジ部２３に形成された貫通孔（図示せず）に接触した状態で、点滴筒２の内部まで挿通されることにより、導管３２によって点滴筒２全体が支持される。この導管３２を介して点滴筒２の内部に点滴液４が供給される。一般的な点滴筒２では、フランジ部２３の径が側面壁２ａの径よりも大きく形成されるため、点滴速度測定器１の上面から突出される位置決め当接部１１をフランジ部２３の下面２３ａに当接させることができる。
【００３３】
このように、位置決め当接部１１に点滴筒２のフランジ部２３の下面２３ａを当接させることで、点滴筒２の導管３２から点滴液４が滴下するときの所定の通過ポイント２５に対して点滴速度測定器１を上下方向に位置決めすることができる。
【００３４】
尚、所定の通過ポイント２５は、点滴筒２の内部まで挿通された導管３２の点滴液４が滴下される滴下口３２ａの下側に設定される。また、所定の通過ポイントは、滴下口３２ａの近傍（できるだけ滴下口３２ａに近い位置）に設定されることが好ましい。これにより、点滴速度測定器１を取り付けた点滴筒２に傾きが生じた場合でも、滴下する点滴液４の経路を検知位置内とすることができる。
【００３５】
また、位置決め当接部１１は、突出した円弧形状に限定されず、例えば、１以上の突出部で形成されてもよいし、周面壁１２１の上面がこれより大きい範囲で突出されていてもよいし、周面壁１２１の上面全体が突出されていてもよい。また、位置決め当接部１１は、所定の通過ポイント２５に応じて、突出されていなくてもよいし、少なくとも点滴筒２のフランジ部２３が収まる範囲で陥没されて形成されてもよい。
【００３６】
（筐体１２：転がり止め部１５）
転がり止め部１５は、筐体１２の周面壁１２１の一部を半径方向に変形させることにより形成されている。
本実施形態では、筐体１２の周面壁１２１の上面に、筐体１２の軸方向に延在する転がり止め部１５が形成されている。転がり止め部１５は、位置決め当接部１１を挟んで、右側に形成される転がり止め部１５ａと、左側に形成される転がり止め部１５ｂとを有している。転がり止め部１５ａ・１５ｂは、半径方向外側に凸状に突出されている。これにより、例えば、机等においた円筒形状の点滴速度測定器１に転がる動作が生じた場合でも、転がり止め部１５が机上面に引っかかることによって転がる動作を停止させることができる。
尚、転がり止め部１５は、「半径方向に凸状に突出された状態」に形成されていればよく、周面壁１２１の半径方向に凹状に窪んだ状態や、周面壁１２１の一部を切り欠いた状態であってもよい。
【００３７】
（筐体１２：吊下げ部１６）
吊下げ部１６は、一方端面壁１２２に形成され、紐部材を取付け可能になっている。
具体的に、吊下げ部１６は、図２に示すように円弧形状に形成されており、一方端面壁１２２とで形成される穴に紐部材を取り付けることができる。
また、紐部材を取り付け可能な吊下げ部１６が筐体１２の一方端面に形成されているため、吊下げ部１６に取り付けられた紐部材を携帯者が持ったときに、筐体１２の軸方向を上下方向に一致するように変化させることができる。これにより、点滴速度測定器の保管時や携帯時の取り扱いをさらに容易にすることができる。
尚、吊下げ部１６は、一方端面壁１２２に形成されることに限定されず、筐体１２の何れに形成されるものであってもよい。例えば、一方端面壁１２２に、筐体１２内部で連結する２以上の穴を形成してもよい。また、周面壁１２１を貫通する穴、又は、一方端面壁１２２から周面壁１２１まで貫通する穴を形成してもよい。
【００３８】
（筐体１２：取付部１７）
取付部１７は、周面壁１２１の前面側の中央部から他方端面壁１２３側にかけて形成されている。取付部１７は、周面壁１２１の一部を凹状に窪ませた形状に形成されている。取付部１７は、平坦上の取付面１７ａを有している。取付面１７ａは、取付部１７の中心部を半径方向に通過する筐体１２の法線に対して直交するよう形成されており、直交方向は点滴液の滴下方向とほぼ平行とする。取付面１７ａは、透過可能な透明部材により形成されている。これにより、筐体１２内部に配設される情報出力器１４が表示する点滴情報を目視することが可能になっている。
【００３９】
（筐体１２：スイッチ部材２０）
図５に示すように、筐体１２の他方端面壁１２３には、スイッチ部材２０が設けられている。具体的に、他方端面壁１２３には、一部を残して枠が切り抜かれた押し込み部１８が形成されている。これにより、上記一部が軸となって押し込み部１８を筐体１２の内部方向へ押し込むことができるようになっている。これにより、押し込み部１８によって内部に配設された後述の入力部５３を駆動し、点滴液検出器１３及び情報出力器１４の駆動電力のオン・オフを切り替えることができる。また、他方端面壁１２３には前面を覆うように、防水シール１９が貼り付けられている。これにより、スイッチ部材２０の防水性能を確保することができる。
また、スイッチ部材２０が筐体１２の他方端面壁１２３に設けられているため、スイッチ部材２０を目視によらなくても手探りで容易に探り当てることができる。これにより、照明度の低い室内であっても、容易にオン・オフ操作を行うことができる。
尚、本実施形態では、筐体１２の他方端面壁１２３に押し込み部１８を形成し、さらに他方端面壁１２３を覆う防水シール１９を貼り付けることでスイッチ部材２０を形成しているがこの態様に限定されない。
【００４０】
（筐体１２の分解構造）
図６に示すように、筐体１２は、筐体１２の前面側を構成する前面部１２ａと、筐体１２の後面側を構成する後面部１２ｂと、一方端面壁１２２側を構成するキャップ部１２ｃとで構成されている。
前面部１２ａには、点滴液検出器１３（発光部１３ａ、１３ｂ）、情報出力器１４、入力部５３、後述の制御基板２２、及び、これらを接続するケーブル等（図示せず）が収容されるようになっている。前面部１２ａの一方端面壁１２２には、周面にネジ構造を有するネジ部１２４が形成されている。ネジ部１２４は内部が空洞化されており、後述の電源部５５における蓄電部が収容可能にされている。
後面部１２ｂは、前面部１２ａに収容された、点滴液検出器１３（発光部１３ａ、１３ｂ）、情報出力器１４、入力部５３、後述の制御基板２２、及び、これらを接続するケーブル等（図示せず）を覆うように嵌めこまれる。さらに、後面部１２ｂは、他方端面壁１２３側と後面側とにおいてネジで前面部１２ａと固定されるようになっている。
キャップ部１２ｃは、前面部１２ａに形成されたネジ部１２４に螺合する雌ネジ孔（図示せず）が内側に設けられている。これにより、キャップ部１２ｃは、電源部５５を覆うようにネジ部１２４にはめ込まれる。
【００４１】
（情報出力器１４）
取付部１７の筐体１２内部側には、情報出力器１４が設けられている。情報出力器１４は、点滴液検出器１３による点滴液４の検出に基づいて点滴情報を出力する。本実施形態において、情報出力器１４は液晶表示装置であり、点滴情報を表示によって報知するものであるがこれに限定されない。例えば、音声を出力することにより点滴情報を報知するものであってもよいし、振動によって点滴情報を報知するものであってもよい。またさらにこれらの組合せであっても良い。情報出力器１４は、取付面１７ａの筐体１２内部側に接触するように配設される。
【００４２】
（制御基板２２）
筐体１２の内部には、制御基板２２が設けられている。制御基板２２は、図７に示すように、各種のプログラムを実行可能な演算部５９と、演算部５９に接続された記憶手段としてのＲＯＭ５８１及びＲＡＭ５８２と、フィルタ部６０を有している。ＲＯＭ５８１には、点滴速度測定器１を制御する制御プログラム等の各種のプログラムやデータが格納されている。ＲＡＭ５８２には、変更可能な設定情報が格納されている。本実施形態では、設定情報を電源終了後も記憶しておくため、ＲＡＭ５８２には不揮発性メモリが用いられるが、これに限定されない。また、演算部５９には、入力部５３と情報出力器１４と電源部５５とが接続されている。
【００４３】
電源部５５は、電池や大容量コンデンサ等の蓄電部と、情報出力器１４及び点滴液検出器１３に適した電圧で電力を供給する電力供給部とを有している。
【００４４】
尚、情報出力器１４は、情報出力器１４の前面にタッチパネルを設け、タッチパネルからの詳細な指令やデータ入力により各種の点滴情報を切替表示するように構成されていても良い。
【００４５】
（点滴液検出器１３）
さらに、演算部５９には、フィルタ部６０を介して、点滴液検出器１３が接続されている。点滴液検出器１３は、光を所定の光量で出射する発光部１３ａと、閾値以下の受光量で検出信号を出力する受光部１３ｂとを有している。
【００４６】
発光部１３ａは、発光ダイオードからなっている。発光ダイオードは、嵌合凹部１０に形成された発光穴１０ａの内部側に設けられている。一方、受光部１３ｂは、図示しないフォトダイオードを有している。フォトダイオードは、嵌合凹部１０に形成された受光穴１０ｂの内部側に設けられている。従って、発光部１３ａからの光は発光穴１０ａを通って筐体１２外部へ出射される。そして、筐体１２外部へ出射された光は、嵌合凹部１０によって形成される空間を他端部面壁へ向かう方向へ横切って、受光穴１０ｂを介して受光部１３ｂに到達するように設定されている。これにより、嵌合凹部１０に点滴筒２が嵌合されている場合には、点滴筒２内を滴下する点滴液４が発光部１３ａから出射された光を遮るようになっている。そして、受光部１３ｂは、受光した光量レベルをフィルタ部６０を介して演算部５９へ送信する。光量レベルは、フィルタ部６０によって適切に補正され、演算部５９によって光を遮る間隔が検出される。
即ち、点滴液検出器１３は、出射した光が点滴液４によって遮られることを検出することができるようになっている。
【００４７】
ここで、フィルタ部６０について具体的に説明する。
フィルタ部６０は、図示しないＡＣカップリング機能を有した回路を有し、受光部１３ｂで受光した光における一定の外乱光の影響を軽減するものである。
具体的に、受光部１３ｂで受ける光は、発光部１３ａからの赤外線に、点滴速度測定器１の設置環境に応じた外乱光量が付加されたものとなる。本実施形態では、受光部１３ｂで受けた光量レベルは、フィルタ部６０のＡＣカップリング機能によりフィルタリングされて演算部５９へ送信される。これにより、室内灯などの一定の外乱光の受光により生じたＤＣ成分の信号を取り除くことができる。従って、演算部５９で受信する光量レベルは、一定の外乱光の影響が軽減されたものとなる。
【００４８】
（点滴速度測定器１の取り付け動作）
先ず、図８に示すように、スタンド７１に吊下げられた薬液容器７２に導管３２を介して点滴筒２が取り付けられると共に、点滴筒２に導管３１を介してクランプ７３が取り付けられる。そして、患者の腕等に注射針が刺し込まれることで、点滴の準備が完了される。
【００４９】
次に、点滴速度測定器１が点滴筒２に装着される。具体的には、図１に示すように、点滴筒２の側方から点滴速度測定器１が移動され、点滴速度測定器１の嵌合凹部１０に点滴筒２が収容される。これにより、点滴速度測定器１の水平方向の位置決めが行われる。そして、点滴筒２のフランジ部２３の下面２３ａが、点滴速度測定器１の位置決め当接部１１に当接する位置まで、点滴速度測定器１及び／又は点滴筒２が上方向へ移動される。これにより、点滴速度測定器１の上下方向の位置決めが行われ、点滴速度測定器１の取付けが完了する。
尚、スイッチ部材２０による電源の投入は、点滴速度測定器１の取付けの前後の何れであってもよい。
【００５０】
（点滴速度測定器１の動作）
次に、点滴速度測定器１の各種動作について説明する。
【００５１】
（電源プログラム）
スイッチ部材２０が操作され、入力部５３が動作（電源がＯＮ／ＯＦＦ）された後の点滴速度測定器１の電源プログラムについて説明する。尚、本実施形態の点滴速度測定器１は、滴下回数の単位時間を、電源投入時に設定可能にされている。具体的に、６０秒あたりの滴下回数、及び、１０秒あたりの滴下回数の何れかに設定可能になっている。尚、滴下回数の単位時間は、この数値に限定されない。また、滴下回数の単位時間が設定不可であってもよいし、３種類以上の単位時間が設定可能であってもよい。
【００５２】
図９に示すように、先ず、入力部５３が動作されると、この動作によって点滴速度測定器１が起動されるか否かが判定される（Ｓ１）。この動作によって点滴速度測定器１が終了される場合（Ｓ１：ＮＯ）、別に起動されている後述の点滴速度測定器プログラムや、点滴液検出器１３、及び、情報出力器１４等の装置の駆動の終了処理が行われ、電源がＯＦＦにされる（Ｓ６）。
一方、この動作によって点滴速度測定器１が起動される場合（Ｓ１：ＹＥＳ）、点滴液検出器１３、及び、情報出力器１４等の装置の駆動が開始される（Ｓ２）。
【００５３】
そして、点滴液検出器１３が検出する光量レベルが基準値未満であるか、基準値以上であるかが判定される（Ｓ３）。ここで、「光量レベルが基準値未満である」とは、発光穴１０ａ、又は、受光穴１０ｂが使用者の手などで覆われ、受光部１３ｂで光が検知されない状態である。このような、点滴液検出器１３が検出する光量レベルが基準値未満である場合（Ｓ３：ＹＥＳ）、検出単位時間変更処理が行われる（Ｓ４）。ここで、検出単位時間変更処理とは、滴下回数の単位時間を、６０秒あたり、及び、１０秒あたり、のいずれかに切り替える処理である。具体的には、ＲＡＭ５８２に滴下回数の単位時間用の領域が設けられ、これに対し、６０秒あたり、及び、１０秒あたり、のいずれかを示す情報（単位時間情報）に変更する処理を行う。単位時間情報は、点滴速度測定器プログラムで読み込まれ、単位時間あたりの滴下回数から点滴速度の算出に用いられる。 
【００５４】
一方、点滴液検出器１３が検出する光量レベルが基準値以上である場合（Ｓ３：ＮＯ）、又は、ステップＳ４の終了後に、点滴速度測定器プログラムが開始され（Ｓ５）、本プログラムが終了される。
【００５５】
尚、初期処理（Ｓ２）における情報出力器１４の駆動は、ステップＳ４の後（ステップＳ５の直前）に実行しても良い。これにより、使用者は、情報出力器１４の駆動が行われることにより、単位時間の変更が完了したことを認識することができる。
【００５６】
（点滴速度測定プログラム）
電源プログラムから開始される点滴速度測定プログラムについて説明する。
図１０に示すように、点滴速度測定プログラムが開始されると、検知信号の出力間隔が取得される（Ｓ７）。ここで、検知信号とは、受光部１３ｂからフィルタ部６０を介して演算部５９に送信される光量レベルを示す信号のうち、所定の検出基準値よりも低い値のものを示す。即ち、点滴液４によって発光部１３ａから受光部１３ｂへ向かう赤外線２４が遮られ、演算部５９が受信した光量レベルが所定の検出基準値よりも低下したときを検知信号として取得する。演算部５９が受ける光量レベルは、フィルタ部６０により外乱光の影響が除外されたものであるため、一定の検出基準値を基準に検知信号を判定し、簡易に出力間隔を特定することができる。尚、検出基準値は、ステップＳ３の基準値と同じであってもよいし、異なるものであってもよい。また、出力間隔については、検知信号を取得した時刻から算出しても良いし、前の検知信号を取得してからカウントした時間から算出してもよい。そして、出力間隔に基づいて単位時間当りの点滴数である点滴速度が算出される（Ｓ８）。この時、単位時間は、ＲＡＭ５８２から取得した単位時間情報に基づいて決定される。尚、単位時間情報は、最初にレジスタ等に読み込まれ、以降レジスタから取得されるものであっても良い。そして、点滴速度が情報出力器１４に表示された後（Ｓ９）、Ｓ７から再実行される。
【００５７】
尚、検知信号を取得したこと、即ち、点滴液４が滴下されたことを示す情報を情報出力器１４に出力しても良い。例えば、検知信号を取得する毎に、情報出力器１４にドット、やマークなどの表示及び非表示を繰り返しても良い。
【００５８】
尚、電源プログラムにおいて終了処理（Ｓ６）が実行された場合は、点滴速度測定プログラムに割り込みが行われ終了される。また、例えば、所定の時間、検知信号を受信しない（点滴液を検出しない）場合には、電源プログラムの終了処理（Ｓ６）を実行して電源をＯＦＦにするものであってもよい。
【００５９】
（変形例）
以上、本発明の好適な実施形態について説明したが、これに限定されるものではない。
例えば、位置決め当接部１１は、筐体１２に一体的に形成されるものであるがこれに限定されず、該位置決め当接部におけるフランジ部との当接位置の高さを調整可能な高さ調整機構を有していてもよい。具体的に、筐体１２の前面部１２ａの嵌合凹部１０の円弧状面の外側（後面部１２ｂ側）に、トンネル形状軸心方向に円弧状溝（図示しない）を設け、該溝に出し入れ可能な高さの異なる円弧状板（図示しない）を複数用意し、これらを入れ替えることで高さ調整をするようにしてもよい。
【００６０】
また、嵌合凹部に固定用弾性部材を設け、点滴筒の側面壁を所定の保持力以上で挟持するものであってもよい。
具体的に、図１１に示す点滴速度測定器２０１では、嵌合凹部２１０に、対向する２つの固定用弾性部材２３０・２３０を設けている。これにより、点滴筒を嵌合凹部２１０に嵌合させた場合、点滴筒の側面壁が、２つの固定用弾性部材２３０・２３０によって所定の保持力以上で挟持される状態となる。
なお、前記嵌合凹部２１０の固定用弾性部材は前記対向の片側だけでもよいし、さらに円弧状位置に設けてもよい。
【００６１】
このように、点滴速度測定器２０１を点滴筒に取り付けたときに、点滴速度測定器２０１の全部や一部の重量を固定用弾性部材２３０・２３０の挟持による保持力により点滴筒において支持させることができる。これにより、点滴速度測定器２０１を点滴筒に取り付けた状態を維持するときの携帯者の負担を軽減することができる。特に、点滴速度測定器２０１の全重量を支持する保持力で固定用弾性部材２３０・２３０が点滴筒を保持した場合には、点滴速度測定器２０１から手を離すことができるため、クランプ７３により点滴速度調整などができるなど作業性に優れたものになる。
【００６２】
以上の詳細な説明では、本発明をより容易に理解できるように、特徴的部分を中心に説明したが、本発明は、以上の詳細な説明に記載する実施形態に限定されず、その他の実施形態にも適用することができ、その適用範囲は可能な限り広く解釈されるべきである。
【００６３】
また、本明細書において用いた用語及び語法は、本発明を的確に説明するために用いたものであり、本発明の解釈を制限するために用いたものではない。また、当業者であれば、本明細書に記載された発明の概念から、本発明の概念に含まれる他の構成、システム、方法等を推考することは容易であると思われる。従って、請求の範囲の記載は、本発明の技術的思想を逸脱しない範囲で均等な構成を含むものであるとみなされるべきである。また、本発明の目的及び本発明の効果を充分に理解するために、すでに開示されている文献等を充分に参酌することが望まれる。
【符号の説明】
【００６４】
１  点滴速度測定器
２  点滴筒
４  点滴液
１０  嵌合凹部
１１  位置決め当接部
１２  筐体
１３  点滴液検出器
１４  情報出力器
１５  転がり止め部
１９  防水シール
２３  フランジ部
２３ａ  下面
２４  赤外線
２５  通過ポイント
３１  導管
３２  導管
３２ａ  滴下口
１２１  周面壁
１２２  一方端面壁
１２３  他方端面壁
【図１】
2014140467.tif 000003
【図２】
2014140467.tif 000004
【図３】
2014140467.tif 000005
【図４】
2014140467.tif 000006
【図５】
2014140467.tif 000007
【図６】
2014140467.tif 000008
【図７】
2014140467.tif 000009
【図８】
2014140467.tif 000010
【図９】
2014140467.tif 000011
【図１０】
2014140467.tif 000012
【図１１】
2014140467.tif 000013